(57)【要約】【課題】簡単な構造によってセラミックを安定して形成できるために、手頃な価格に製造でき、洗濯も容易であって、しかも、身体に良好に作用する遠赤外線治療器を提供する。【解決手段】患部に当てる治療器本体が表布で被覆される中空体を主体し、中空体の内周面と外周面との少なくとも一面にセラミックの粉粒体を硬化性接着剤と練り合わせて接着することにより、遠赤外線を発生するセラミック層が形成され、中空体の中心部に遠赤外線の発生を促進する電気による発熱体が内装されており、中空体の内部温度を感知して設定温度に保持する制御装置を備えている。【選択図】    図１
0003153412.tif 000002
【実用新案登録請求の範囲】
【請求項１】
患部に当てる治療器本体が表布で被覆される中空体を主体し、中空体の内周面と外周面との少なくとも一面にセラミックの粉粒体を硬化性接着剤と練り合わせて接着することにより、遠赤外線を発生するセラミック層が形成され、中空体の中心部に遠赤外線の発生を促進する電気による発熱体が内装されており、中空体の内部温度を感知して設定温度に保持する制御装置を備えてなる遠赤外線治療器。
【請求項２】
中空体がガラスまたはプラスチックで成形されていることを特徴とする請求項１記載の遠赤外線治療器。
【考案の詳細な説明】
【技術分野】
【０００１】
この考案は、遠赤外線が発生するセラミックを利用した遠赤外線治療器に関する。
【背景技術】
【０００２】
麦飯石や貝化石等の特殊な鉱物や、複数の鉱物を練り上げ焼成した特殊なセラミック（この明細書ではセラミックと総称することにする）が身体に良好な８〜１４μｍ程度の波長の遠赤外線を発生し、これを身体に照射すると、深部までポカポカと温められて血行が促進されるとともに筋肉がほぐされ、肩凝りや神経痛、筋肉痛などを改善し、胃腸等の働きも良くなるために、この性質を利用した遠赤外線治療器が提供される。
【０００３】
従来の遠赤外線治療器は、布張りの内部に前記のような特殊な鉱物やセラミックをニクロム線等の発熱体と共に内装し、表張りと裏張りとの間にそれらを保持して厚手に構成したものであった。
【考案の概要】
【考案が解決しようとする課題】
【０００４】
従来の遠赤外線治療器によれば、表張りと裏張りとの間に挟むセラミックには塊状や粉粒状に形成さでたものを使用する関係で、それを移動したり脱落したりしないように安定して固定するために、細工が複雑となりこれを手作業ですることから非常にコスト高となるという問題があった。また、汚れを落とし難く、洗濯によりセラミックが濡れ、遠赤外線の発生能力が衰えるおそれがあった。
【０００５】
この考案は、簡単な構造によってセラミックを安定して形成できるために、手頃な価格に製造でき、洗濯も容易であって、しかも、身体に良好に作用する遠赤外線治療器を提供することを課題とした。  
【課題を解決するための手段】
【０００６】
上記の課題を解決するために、この考案は、患部に当てる治療器本体が表布で被覆される中空体を主体し、中空体の内周面と外周面との少なくとも一面にセラミックの粉粒体を硬化性接着剤と練り合わせて接着することにより、遠赤外線を発生するセラミック層が形成され、中空体の中心部に遠赤外線の発生を促進する電気による発熱体が内装されており、中空体の内部温度を感知して設定温度に保持する制御装置を備えてなる遠赤外線治療器を提供するものである。
【考案の効果】
【０００７】
この考案の遠赤外線治療器は、上記のように、中空体を主体しその内周面等にセラミックの硬化性接着剤と練り合わせて塗布することにより、セラミック層を簡単に形成でき、それでセラミック層が移動したり型崩れするようなこともなく、固定して保持されるため、安価に製造した手頃な価格で提供でき、汚れを落とすために水を使ってもセラミック層が濡れることはなく、また、発熱体がセラミック層を加熱しやすく、遠赤外線の放射能力に優れているので、これを患部に当てると、深部までポカポカと温められて血行が促進されるとともに筋肉がほぐされ、肩凝りや神経痛、筋肉痛などを改善し、胃腸等の働きも良くなる等、身体の健康維持、増進に非常に優れた効果を発揮する。
【０００８】
また、中空体がガラスまたはプラスチックで成形されていると、特に遠赤外線の発生に即効性がある。
【図面の簡単な説明】
【０００９】
【図１】この考案の一実施例を示す遠赤外線治療器の全体斜視図である。
【図２】同遠赤外線治療器を要部において示す断面図である。
【図３】他の実施例による遠赤外線治療器を要部において示す正面から見た断面図である。
【図４】さらに他の実施例による遠赤外線治療器の全体を示す斜めから見た断面図である。
【考案を実施するための形態】
【００１０】
次に、この考案の幾つかの実施例を図面に基づいて説明する。いずれも代表的なものを示しこれらに限定されることはない。
【００１１】
中空体９は、透明なガラスやプラスチックが使用に適しており、その形状も後記実施例に示すように多様となる。また、セラミック層１７を形成するために使用する硬化性接着剤には、有機接着剤の他、セメント、石膏等を使用することもできる。また、発熱体１３には、白熱電球や、ニクロム線、カーボン繊維等を使用したものその他を使用することができる。
【実施例１】
【００１２】
図１及び図２は、基本的な構造として示した一例であって、その遠赤外線治療器Ｐａは、身体に当てる治療器本体１に連結コード５を介して制御装置３が具備され、制御装置３に電源コード７が取り付けられる。この考案では、治療器本体１に特徴があり、それは、中空体９の内面に遠赤外線を発生するセラミック層１７が形成され、キャップ１１にセラミック層１７を加熱する発熱体１３と、制御装置３の熱電対１５が備えられる。また、中空体９は、身体に直接熱が触れないように表布１８の袋に包まれている。これには暖色の赤色が用いられる。
【００１３】
中空体９には筒状のガラス瓶が使用され、セラミック層１７の形成については、セラミックの粉粒体に熱硬化性接着剤を混入して粘性に練り上げ、それを中空体９に注入し、仮のキャップで口を封じた状態において回転することにより中空体９の内面に均等に塗布し、その状態で加熱することにより硬化させてある。
【００１４】
発熱体１３には白熱電球が使用され、それが中空体９のほゞ中央部に位置するように、キャップ１１にソケット１９が取り付けられる。また、キャップ１１には制御装置３の熱電対１５が突出しており、これによって感知された電気的値が制御装置３に送られ、そこでボタン２２の操作で予め設定された温度に中空体９の内部温度が制御される。また、制御装置３は、３０分、１時間、２時間、３時間というように時間設定することにより、望みの時間だけ身体を温めることができるようになっている。
【実施例２】
【００１５】
図３に示す遠赤外線治療器Ｐｂは、前記実施例と同じく治療器本体１に連結コード５を介して制御装置３（図示省略）が取り付けられている。治療器本体１を構成する中空体９は、両肩に掛かるように湾曲形状に形成され、また、身体との接触圧を緩和するために、ペットボトルのプラスチック原料として知られる弾発的に変形するＰＥＴによって成形され、その内面にセラミック層１７が同じような要領により形成される。発熱体１３には、ニクロム線を内部で巻いた棒状体が使用される。
【実施例３】
【００１６】
図４に示す遠赤外線治療器Ｐｃは、身体の各部に自由に当てうるように、中空体９を試験管のように長く形成し、その口に長い柄１２が接続され直列に一体となっている。また、柄１２には蓄電池４および制御装置３が内装される。充電は充電台２０に載せてなされる。また、柄１２には温度、時間を設定するボタン２２が設けられている。
【符号の説明】
【００１７】
Ｐａ、Ｐｂ、Ｐｃ  遠赤外線治療器
１  治療器本体
３  制御装置
９  中空体
１３  発熱体
１７  セラミック層
１８  表布
【図１】
0003153412.tif 000003
【図２】
0003153412.tif 000004
【図３】
0003153412.tif 000005
【図４】
0003153412.tif 000006